(57)【要約】      （修正有）【課題】手間をかけずに、取込対象物を撮影して得られる撮影画像に対して所望の処理を実行させることのできる情報処理端末、データ化キット及びプログラムを提供する。【解決手段】支持２１面上に配置された複数の取込対象物３を単一の全体画像として取り込む撮像部と、この撮像部が取り込んだ全体画像から各取込対象物に対応する画像をそれぞれ切り出して複数の個別画像にする個別画像生成部と、この個別画像生成部により生成された各個別画像に対して予め定めておいた処理を実行する情報処理部とを備え、前記全体画像が、相互に色の異なる前記支持面と複数の取込対象物とを撮影したものであり、前記個別画像生成部が、前記全体画像を二値化して、取込対象物が置かれている領域と取込対象物が置かれていない領域とを明確にするものである情報処理端末を構成する。【選択図】図１
2015142283.tif 000002
【特許請求の範囲】
【請求項１】
支持面上に配置された複数の取込対象物を単一の全体画像として取り込む撮像部と、
この撮像部が取り込んだ全体画像から各取込対象物に対応する画像をそれぞれ切り出して複数の個別画像にする個別画像生成部と、
この個別画像生成部により生成された各個別画像に対して予め定めておいた処理を実行する情報処理部とを具備してなるものであって、
前記全体画像が、相互に色の異なる前記支持面と複数の取込対象物とを撮影したものであり、前記個別画像生成部が、前記全体画像を二値化して、取込対象物が置かれている領域と取込対象物が置かれていない領域とを明確にするものである情報処理端末。
【請求項２】
前記情報処理部が、予め定められた情報により指定された情報処理端末内のフォルダに各取込対象物の個別画像を保存、予め定められた情報により指定されたメタ情報を前記個別画像に付加、予め定められた情報により指定された宛先アドレスに向けて前記個別画像を電子メールとして送信、予め定められた情報により指定されたサーバに向けて前記個別画像をアップロード、のうち少なくとも一の処理を実行する請求項１記載の情報処理端末。
【請求項３】
支持面上に配置された取込対象物を単一の全体画像として取り込む撮像部と、
この撮像部が取り込んだ全体画像から取込対象物に対応する画像を切り出して個別画像にする個別画像生成部と、
この個別画像生成部により生成された個別画像に対して取込対象物に添付した表示に基づいた処理を実行する情報処理部とを具備してなるものであって、
前記全体画像が、相互に色の異なる前記支持面と取込対象物とを撮影したものであり、前記個別画像生成部が、前記全体画像を二値化して、取込対象物が置かれている領域と取込対象物が置かれていない領域とを明確にするものである情報処理端末。
【請求項４】
取込対象物を撮影して取り込む請求項１、２または３記載の情報処理端末と、その撮影時に取込対象物を支持する支持体とを要素とするデータ化キットであって、
前記支持体が、黒色の支持面を備えた矩形状のものであるデータ化キット。
【請求項５】
請求項１記載の情報処理端末を構成しているコンピュータを、
前記撮像部が取り込んだ全体画像から各取込対象物に対応する画像をそれぞれ切り出して複数の個別画像にする個別画像生成部と、
この個別画像生成部により生成された各個別画像に対して予め定めておいた処理を実行する情報処理部として機能させるためのプログラム。
【発明の詳細な説明】
【技術分野】
【０００１】
本発明は、名刺や手書きのメモ、その他種々の取込対象物を撮影してディジタルデータ化する目的で利用される情報処理端末、この情報処理端末を一要素とするデータ化キット、及び情報処理端末を構成するコンピュータを機能させるためのプログラムに関する。
【背景技術】
【０００２】
近時、カメラモジュールが実装された高性能なスマートフォンやタブレット型コンピュータ等が、広汎に普及しつつある。これらの情報処理端末を使用して、打ち合わせや業務の内容を記録した手書きのメモやノート類、業務において交換した名刺等を撮影し、ディジタルデータとして取り込み活用したいというニーズも高まっている。
【０００３】
従来、このように取込対象物を撮影して得られる撮影画像を情報処理端末においてどのように処理するかについては、取込対象物の撮影後に情報処理端末の画面を操作することにより実行するようにしていた（例えば、下記特許文献１を参照）。そのため、多数の取込対象物に対して所望の処理を行う際には、画面操作の手間がかかるという不便さがあった。
【先行技術文献】
【特許文献】
【０００４】
【特許文献１】特開２００２−２７１６７１号公報
【発明の概要】
【発明が解決しようとする課題】
【０００５】
本発明は、手間をかけずに、取込対象物を撮影して得られる撮影画像に対して所望の処理を実行させることのできる情報処理端末、データ化キット及びプログラムを提供することを目的とする。
【課題を解決するための手段】
【０００６】
本発明は、以上のような課題を解決するために、次のような構成を採用したものである。すなわち、本発明に係る情報処理端末は、支持面上に配置された複数の取込対象物を単一の全体画像として取り込む撮像部と、この撮像部が取り込んだ全体画像から各取込対象物に対応する画像をそれぞれ切り出して複数の個別画像にする個別画像生成部と、この個別画像生成部により生成された各個別画像に対して予め定めておいた処理を実行する情報処理部とを具備してなるものであって、前記全体画像が、相互に色の異なる前記支持面と複数の取込対象物とを撮影したものであり、前記個別画像生成部が、前記全体画像を二値化して、取込対象物が置かれている領域と取込対象物が置かれていない領域とを明確にするものであることを特徴とする。
【０００７】
前記情報処理部の具体的な一態様としては、予め定められた情報により指定された情報処理端末内のフォルダに各取込対象物の個別画像を保存、予め定められた情報により指定されたメタ情報を前記個別画像に付加、予め定められた情報により指定された宛先アドレスに向けて前記個別画像を電子メールとして送信、予め定められた情報により指定されたサーバに向けて前記個別画像をアップロード、のうち少なくとも一の処理を実行するものが好ましい。
【０００８】
また、本発明の他の情報処理端末としては、支持面上に配置された取込対象物を単一の全体画像として取り込む撮像部と、この撮像部が取り込んだ全体画像から取込対象物に対応する画像を切り出して個別画像にする個別画像生成部と、この個別画像生成部により生成された個別画像に対して取込対象物に添付した表示に基づいた処理を実行する情報処理部とを具備してなるものであって、前記全体画像が、相互に色の異なる前記支持面と取込対象物とを撮影したものであり、前記個別画像生成部が、前記全体画像を二値化して、取込対象物が置かれている領域と取込対象物が置かれていない領域とを明確にするものが挙げられる。
【０００９】
本発明のデータ化キットとしては、取込対象物を撮影して取り込む前記情報処理端末と、その撮影時に取込対象物を支持する支持体とを要素とするものであって、前記支持体が、黒色の支持面を備えた矩形状のものであることが好ましい。
【００１０】
また、本発明のプログラムとしては、前記情報処理端末を構成しているコンピュータを、前記撮像部が取り込んだ全体画像から各取込対象物に対応する画像をそれぞれ切り出して複数の個別画像にする個別画像生成部と、この個別画像生成部により生成された各個別画像に対して予め定めておいた処理を実行する情報処理部として機能させるためのものが好ましい。
【発明の効果】
【００１１】
本発明は、以上のような構成であるから、手間をかけずに、取込対象物を撮影して得られる撮影画像に対して所望の処理を実行させることのできる情報処理端末、データ化キット及びプログラムを提供することができる。
【図面の簡単な説明】
【００１２】
【図１】本発明の一実施形態のデータ化キットを示す斜視図。
【図２】同実施形態における支持体の正面図。
【図３】同実施形態における情報処理端末が有するハードウェア資源を示す図。
【図４】同実施形態における情報処理端末の機能ブロック図。
【図５】同実施形態における情報処理端末が撮影した全体画像の例を示す図。
【図６】同実施形態における全体画像を透視変換処理した後の全体中間画像の例を示す図。
【図７】同実施形態における個別中間画像を透視変換処理する手順例を示す図。
【図８】同実施形態における情報処理端末による処理の手順例を示すフローチャート。
【図９】同実施形態における情報処理端末に表示される画面を示す図。
【図１０】同実施形態における情報処理端末に表示される画面を示す図。
【図１１】同実施形態における情報処理端末に表示される画面を示す図。
【図１２】同実施形態における情報処理端末に表示される画面を示す図。
【図１３】同実施形態における情報処理端末に表示される画面を示す図。
【図１４】本発明の変形例における取込対象物の配置された支持体の正面図。
【図１５】同変形例における設定に関する情報と、情報処理端末において実行する処理との関係を規定する設定情報の例を示す図。
【図１６】同変形例における情報処理端末に表示される画面を示す図。
【図１７】本発明の他の変形例における取込対象物の配置された支持体の正面図。
【図１８】本発明のさらに他の変形例における支持体を示す斜視図。
【発明を実施するための形態】
【００１３】
以下、本発明の一実施形態について、図１〜図１３を用いて説明する。
【００１４】
本実施形態のデータ化キット１０は、図１に示すように、複数の取込対象物３を撮影して取り込む情報処理端末１と、その撮影時に取込対象物３を支持する支持体２とを要素とする。
【００１５】
本実施形態では、取込対象物３として複数枚の名刺３（または、小形のメモ用紙等）を想定しており、支持体２は複数枚の名刺３を配置可能なシート状をなす。具体的には、図２に示す前記支持体２は、例えばＡ４サイズの名刺用ファイルに取り出し可能に添付されたもので、黒色の支持面２１を備えている。
【００１６】
支持体２の支持面２１には、使用形態を示唆する文字２３と、複数枚の名刺３を整列させて配置することが可能な罫線２４が、目立たない濃い灰色（支持体２を撮影して後述する二値化処理した際に「黒色」として認識される程度の黒に近い灰色）で印刷されている。なお、この罫線２４は、名刺３を支持体２上に配置する際の目安となる得るもので、色は「黒」その他種々のものが適用できる。
【００１７】
そして、この支持体２の支持面２１上に複数枚の名刺３を重ならないように配置し、その状態で名刺３とともに支持体２全体を情報処理端末１により撮影する。なお、複数枚の名刺３を前記罫線２４に沿って整然と配列するのが望ましいが、これらの罫線２４を無視して配列させてもよい。支持体２を撮影する際には、支持体２の全ての縁２２が撮影画面に収まるように撮影するのが望ましい。支持体２の支持面２１を黒色に設定しているのは、この支持面２１上に配置される名刺３の色と支持面２１の色とを異ならせるためである。
【００１８】
情報処理端末１は、例えば、携帯電話端末、スマートフォン、携帯可能なビデオゲーム機やパーソナルコンピュータ（ノートブック型コンピュータ、タブレット型コンピュータ、携帯情報端末等を含む）等といった、カメラモジュール１ｉを内蔵している端末または機器である。図３に示すように、情報処理端末１は、汎用的なコンピュータと同様、ＣＰＵ（Ｃｅｎｔｒａｌ  Ｐｒｏｃｅｓｓｉｎｇ  Ｕｎｉｔ）１ａ、メインメモリ１ｂ、補助記憶デバイス１ｃ、操作入力デバイス１ｄ、オーディオコーデック１ｅ、ビデオコーデック１ｆ、通信インタフェース１ｇ、ディスプレイ１ｈ、カメラ１ｉ等のハードウェア資源を備え、これらがコントローラ（システムコントローラ、Ｉ／Ｏコントローラ等）１ｊにより制御されて連携動作するものである。
【００１９】
補助記憶デバイス１ｃは、ハードディスクドライブ、フラッシュメモリ、光学ディスクドライブ、その他である。操作入力デバイス１ｄは、手指で操作可能なタッチパネル、トラックパッド、マウス等のポインティングデバイスや、押下ボタン（テンキーやカーソルキー等を含む）、キーボード等である。オーディオコーデック１ｅは、符号化されている音声データを復号化してスピーカから音声出力したり、マイクを介して収音した音声を符号化したりする。
【００２０】
ビデオコーデック１ｆは、ＣＰＵ１ａより受けた描画指示をもとに表示させるべき画面を生成しその画面信号をディスプレイ１ｉに向けて送出するＧＰＵ（Ｇｒａｐｈｉｃｓ  Ｐｒｏｃｅｓｓｉｎｇ  Ｕｎｉｔ）、画面のデータを一時的に格納しておくビデオメモリ等を要素とする。オーディオコーデック１ｅ、ビデオコーデック１ｆはそれぞれ、ハードウェアでなくソフトウェアとして実装することも可能である。
【００２１】
通信インタフェース１ｇは、インターネットや公衆電話網、携帯電話網、ＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）等の電気通信回線を経由したデータ通信を行うためのデバイスであり、ＮＩＣ（Ｎｅｔｗｏｒｋ  Ｉｎｔｅｒｆａｃｅ  Ｃａｒｄ）や無線ＬＡＮデバイス、ｂｌｕｅｔｏｏｔｈ（登録商標）デバイス、携帯電話網に接続するための無線デバイス等に代表される。これら以外に、ＵＳＢ（Ｕｎｉｖｅｒｓａｌ  Ｓｅｒｉａｌ  Ｂｕｓ）、ＩＥＥＥ１３９４等のインタフェースを採用することもできる。
【００２２】
カメラ１ｉは、ＣＣＤ（Ｃａｈｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージセンサを用いた既知のものである。カメラ１ｉは、情報処理端末１に内蔵のものであってもよいし、情報処理端末１にＵＳＢ等のインタフェースを介して外付けされているものであってもよい。
【００２３】
ＣＰＵ１ａによって実行されるべきプログラムは補助記憶デバイス１ｃに格納されており、プログラムの実行の際には補助記憶デバイス１ｃからメインメモリ１ｂに読み込まれ、ＣＰＵ１ａによって解読される。本実施形態では、既知のＯＳ（Ｏｐｅｒａｔｉｎｇ  Ｓｙｓｔｅｍ）プログラムやこれに付帯する各種デバイスドライバプログラムが予めインストールされ、他のプログラムによる上記ハードウェア資源の利用を仲介する。そして、アプリケーションプログラムとして、電子メールクライアントプログラムやウェブブラウザプログラム、カメラ撮影制御プログラム等がインストールされている。その上で、本実施形態のデータ化キット１０を構成するために必要なプログラムがインストールされており、これらプログラムにより上記ハードウェア資源であるコンピュータを作動して、図４に示す撮像部１１、個別画像生成部１２及び情報処理部１３としての機能を発揮する。以下、各部の機能を説明する。
【００２４】
前記撮像部１１は、支持体２の支持面２１上に配置された複数枚の名刺３を図５に示す単一の全体画像４ａとして取り込むものであり、カメラモジュール１ｉを利用し、支持体２の支持面２１全体を一度に撮影する。名刺３及び支持面２１をともに含む全体画像４ａは、メインメモリ１ｂまたは補助記憶デバイス１ｃの所要の記憶領域に一時記憶される。なお、後述するホーム画面５１のカメラアイコン５１ａをクリックして撮影モードに切換え、撮影により得られる全体画像４ａを記憶領域に一時記憶する機能については、通常のものであるため説明を省略する。
【００２５】
情報処理端末１としていわゆるスマートフォンを利用する場合には、情報処理端末１の姿勢に応じて画面表示が９０°切り替わる機能が作動する場合があるが、この機能をロックするための手段を講じておいてもよい。具体的には、前記情報処理部１３が、図１２に示す撮影画面５０のカメラロック設定アイコン５０ｃがクリックされた場合に、カメラロック選択画面５８を表示するカメラロック選択画面表示部を備えている。このカメラロック選択画面５８のいずれかのカメラロック設定表示欄５８ａをクリックにより選択した場合には、前記機能をロックするようにしているとともに、カメラロック選択画面５８のカメラロック解除設定表示欄５８ｂをクリックにより選択した場合には、前記機能のロックを解除するようにしている。
【００２６】
前記個別画像生成部１２は、前記撮像部１１が取り込んだ全体画像４ａから各取込対象物３に対応する画像をそれぞれ切り出して複数の個別画像４ｂにするものである。個別画像生成部１２は、前記撮像部１１が取り込んだ全体画像４ａを各名刺３に対応する複数の配置領域１２１と、この配置領域１２１に隣接する支持面２１に対応する外部領域１２２と、この外部領域１２２に隣接する支持面２１の外側に対応する輪郭外領域１２３とを認識する機能を備えているものである。
【００２７】
前記個別画像生成部１２は、まず、全体画像４ａを第１回目の二値化処理を行って外部領域１２２と輪郭外領域１２３とを認識し、外部領域１２２の輪郭１２５を確定する。具体的には、全体画像４ａを前記二値化処理により白と黒により表現される白黒画像に変換し、全体画像４ａに現れている支持面２１、すなわち、外部領域１２２が黒色で表現され、輪郭外領域１２３が白色で表現される。そして、全体画像４ａにおける前記輪郭１２５の内側に含まれる画素に対して透視変換処理を行い、歪みや傾きが修正された長方形の支持面２１上に複数の名刺３が配置された図６に示すような全体中間画像４ｃを得る。換言すれば、外部領域１２２の輪郭１２５を確定した段階で全体中間画像４ｃに対応する全体中間メモリを確保し、前記輪郭１２５の内側に存在する画素に透視変換処理を施して処理後の画素を前記全体中間メモリに順次保存していき、輪郭１２５内の画素の透視変換処理が完了した段階で前記全体中間メモリ上に前記全体中間画像４ｃが完成する。
【００２８】
この全体中間画像４ｃに対して第２回目の二値化処理を施して配置領域１２１と外部領域１２２とを認識する。この認識結果に基づいて各配置領域１２１を１つずつ含む複数の個別中間画像４ｄを特定する。そして、各個別中間画像４ｄに対して透視変換処理を施し、各名刺３に対応した各個別画像４ｂを得る。換言すれば、配置領域１２１の輪郭１２４を確定した段階で個別中間画像４ｄに対応する個別中間メモリを確保し、前記輪郭１２４の内側に存在する画素に透視変換処理を施して処理後の画素を前記個別中間メモリに順次保存していき、輪郭１２４内の画素の透視変換処理が完了した段階で前記個別中間メモリ上に前記個別画像４ｂが完成する。
【００２９】
以上のようにして、最終的に各名刺３の個別画像４ｂの取得にあたっては、撮像部１１で撮影して得た画像の傾き及び／または歪みの補正を行う必要があり、この補正を透視変換処理と称している。すなわち、ユーザが情報処理端末１を使用して撮影した全体画像４ａの中では、支持体２が全体画像４ａのｘ軸（水平軸）やｙ軸（垂直軸）に対して傾くことがある。のみならず、図５に例示するように、撮影時のカメラ１ｉの光軸が支持体２及び名刺３に対し直交していなかったことに起因して、支持体２が全体画像４ａの中で本来の形状である長方形状から歪んだ形に変形することもある。
【００３０】
これらの傾きや歪みを補正するべく、情報処理端末１は、メインメモリ１ｂまたは補助記憶デバイス１ｃに一時記憶している全体画像４ａ中の支持体２の縁２２（外部領域１２２の輪郭１２４）を認識し、その縁２２（輪郭１２４）の内側に存在する画素により構成される画像に対してアフィン変換または射影変換する演算処理、いわゆる四点補正を行う。これにより、支持体２の各辺が所定のｘ軸やｙ軸に対して傾かず、かつ各辺が所定の縦横比の長方形状を描くような全体中間画像４ｃを得るようにしている。また、全体中間画像４ｃから各個別中間画像４ｄを得た後、各個別中間画像４ｄに再度透視変換処理を施して各個別画像４ｂを得るようにしているのは、主として長方形の支持面２１上に各名刺３が枠に沿って整然と配置されるとは限られないという事情があるためであり、この場合も、上述したものに準じた処理を行う。なお、画像の傾きや歪みを補正する処理の詳細は、既存の手法と同様とすることができる。図７に、補正後の個別画像４ｂを例示する。
【００３１】
前記情報処理部１３は、前記個別画像生成部１２により生成された各個別画像４ｂに対して予め定めておいた処理を実行するものである。予め定められる処理の一例としては、
・予め定められた情報により指定された情報処理端末１内のフォルダに各取込対象物３の個別画像４ｂを保存、
・予め定められた情報により指定されたメタ情報（タグ）を個別画像４ｂに付加、
・予め定められた情報により指定された宛先アドレスに向けて個別画像４ｂを電子メールとして送信、
・予め定められた情報により指定されたサーバまたはクラウドサービス（例えば、「Ｄｒｏｐｂｏｘ（登録商標）」や「Ｅｖｅｒｎｏｔｅ（登録商標）」等の情報蓄積型インターネットサービス）に向けて個別画像４ｂをアップロード、
・予め定められた情報により指定されたアプリケーションに向けて個別画像４ｂを送信、
・予め定められた情報により指定された他の情報処理端末、ディスプレイ、出力機器（プリンタやファクシミリ等）に向けて個別画像４ｂを通信手段（例えば、「Ｂｌｕｅｔｏｏｔｈ（登録商標）」、「Ｗｉ−Ｆｉ（登録商標）」、インターネット等）を介して転送、
等が挙げられる。
【００３２】
詳述すれば、この情報処理部１３は、例えば図９に示すようなホーム画面５１を表示するホーム画面表示部と、このホーム画面５１の設定アイコン５１ｂがクリックされた場合に例えば図１０に示すような設定画面５２を表示する設定画面表示部と、この設定画面５２のアクション設定アイコン５２ａがクリックされた場合に例えば図１１に示すような複数の設定内容表示欄５３ａを有した第１のアクション設定画面５３を表示する第１のアクション設定画面表示部と、前記第１のアクション設定画面５３のいずれかの設定内容表示欄５３ａをクリックにより選択した場合に図１１に示す第２のアクション設定画面５４を表示する第２のアクション設定画面表示部とを備えている。第２のアクション設定画面５４は、メール選択欄５４ａと、複数のクラウドサービス選択欄５４ｂと、アルバム選択欄５４ｃと、タグを付加するためのタグ追加選択欄５４ｄとを備えている。なお、この情報処理部１３は、さらに前記第２のアクション設定画面５４のメール選択欄５４ａをクリック操作された場合に図１１に示すようなメールアドレス用の情報記入欄５５ａを有するメール設定画面５５を表示するメール設定画面表示部と、前記クラウドサービス選択欄５４ｂをクリック操作された場合に図１１に示すようなクラウドサービスへの自動ログイン用の情報記入欄５６ａを有するクラウドサービスログイン用表示画面５６を表示するログイン用画面表示部とを備えている。
【００３３】
さらに、この情報処理部１３は、前記各選択欄５４ａ、５４ｂ、５４ｃ、５４ｄをクリック操作された場合にその選択欄５４ａ、５４ｂ、５４ｃ、５４ｄに対応する「メール」、「クラウドサービス１〜５」、「アルバムに保存」、「タグ」等の表示の１つまたは複数を、図１２に示すような第１のアクション設定画面５３の特定の設定内容表示欄５３ａに表示する（図１１に示す第１のアクション設定画面５３に選択欄５４ａ、５４ｂ、５４ｃ、５４ｄ等で選択された後の情報、すなわち、選択完了後の情報が表示されている状態にする）設定内容表示部と、個別画像４ｂを電子メールにより予め定めたアドレスに自動送信するためのメール送信部と、個別画像４ｂを予め設定しておいたログイン手順に沿って前記クラウドサービス１〜５に自動的にアップロードするアップロード部と、個別画像４ｂを予め設定したアルバム用メモリに保存するアルバム保存部と、個別画像４ｂに予め設定しておいたタグをメタデータとして付加するタグ追加部とを備えている。
【００３４】
さらに、この情報処理部１３は、図１２に示すような撮影画面５０を表示する撮影画面表示部と、この撮影画面５０のアクション設定アイコン５０ｂがクリックされた場合に第１のアクション設定画面５３を表示する撮影時設定画面表示部とを備えている。
【００３５】
また、この情報処理部１３は、撮影画面５０のシャッターアイコン５０ａがクリックされた場合に、第１のアクション設定画面５３においていずれの設定内容表示欄５３ａが選択されているかを判別し、選択されている設定内容表示欄５３ａに表示されているアクション内容を自動実行させるアクション実行部を備えている。すなわち、前記設定内容表示欄５３ａには、図１２に示すように複数のアクション内容を予め設定し表示させておくことができる。そして、所望の設定内容表示欄５３ａを選択すると、その表示欄５３ａの右端にチェックマークが表示されるようになっている。このような選択操作をしておくと、個別画像４ｂが生成される毎に、設定内容表示欄５３ａに表示された所望のアクション内容が前記メール送信部、アップロード部、アルバム保存部、タグ追加部のいずれか１つまたは複数が起動することにより実行される。具体的には、各個別画像４ｂが自動的に、メール送信されたり、クラウドサービスにアップロードされたり、アルバムに保存されたり、タグ付けされたりする。
【００３６】
なお、名刺３の個別画像４ｂを情報処理端末１の補助記憶デバイス１ｃ等に保存する際には、保存先を指定しない場合に一定の保存先ディレクトリまたはフォルダ（ＯＳまたはアプリケーションプログラムが提供するファイルシステムによる）に保存（いわば、「名刺フォルダ」に複数枚の名刺３を取り込んだ画像を蓄積する態様）し、一方、ユーザにより保存先を予め指定した場合には、その指定に応じたディレクトリまたはフォルダに保存するようにしてもよい。
【００３７】
名刺３の個別画像４ｂを電子メールとして送信、またはサーバにアップロードする際には、当該個別画像４ｂに付されるメタ情報等をも、当該個別画像４ｂとともに送信してよい。
【００３８】
名刺３の個別画像４ｂをサーバにアップロードする際には、アクセス権限を認証するためのユーザアカウント情報、典型的にはユーザＩＤ及びパスワードが必要となることがある。そのようなユーザアカウント情報もまた、設定情報として、またはプログラム若しくはスクリプト中に記述された命令として、予め情報処理端末１のメインメモリ１ｂまたは補助記憶デバイス１ｃに格納されている。
【００３９】
また、情報処理端末１を構成するコンピュータを以上説明した撮像部１１、個別画像生成部１２、情報処理部１３（少なくともホーム画面表示部、設定画面表示部、第１のアクション設定画面表示部、第２のアクション設定画面表示部、設定内容表示部、メール送信部、アップロード部、アルバム保存部、タグ追加部、アクション実行部、撮影画面表示部、撮影時設定画面表示部）として作動させるためのアプリケーションプログラムは、前記情報処理端末１のメインメモリ１ｂまたは補助記憶デバイス１ｃに保存しておき、適宜実行できるようにしておけばよい。
【００４０】
次いで、この情報処理端末１の作動説明を、図８に示すフローチャートを併用して説明する。
【００４１】
まず、デジタル化後の名刺３をどのように処理するかを予め設定しておく。すなわち、ホーム画面５１の設定アイコン５１ｂをクリックして設定画面５２を表示し、この設定画面５２のアクション設定アイコン５２ａをクリックして第１のアクション設定画面５３を表示させる。この第１のアクション設定画面５３に表示されている設定内容表示欄５３ａのいずれかをクリックして選択する。それにより、選択された設定内容表示欄５３ａにチェックが表示される。すなわち、各名刺３をデジタル化した個別画像４ｂをどのような自動アクションにより処理するのかを、予め設定しておく（ステップＳ１）。
【００４２】
この設定操作を完了した後、ホーム画面５１に復帰し、カメラアイコン５１ａをクリックして撮影を行う。具体的には、支持体２上にデジタル化したい名刺３を配置し、その状態で支持体２全体を情報処理端末１のカメラモジュール１ｉを利用して撮影する（ステップＳ２）。すなわち、情報処理端末１は、カメラモジュール１ｉにより支持体２及び名刺３を撮像した全体画像４ａを取得する。
【００４３】
この撮影により前記情報処理端末１の補助記憶デバイス１ｃに保存された全体画像４ａは、個別画像生成部１２の働きによりその画像の傾き及び／または歪みを補正して、各名刺３に対応した個別画像４ｂに変換される（ステップＳ３）。すなわち、全体画像４ａは、前述した第１回目の二値化処理及び透視変換処理により長方形の全体中間画像４ｃに変換され、その全体中間画像４ｃが、前述した第２回目の二値化処理及び透視変換処理により各名刺３に対応した長方形の各個別画像４ｂにそれぞれ変換される。
【００４４】
各個別画像４ｂが完成した段階で、図１３に示すようなサムネイル表示画面５７が表示されると同時に、情報処理部１３の働きにより予め設定したアクション内容が実行される（ステップＳ４）。すなわち、名刺３の個別画像４ｂについて、予め設定した処理、例えばメタ情報の付加、電子メールの形での送信、サーバへのアップロード、アルバムへの保存等を実施する。図１２に示すこの実施形態の設定内容によれば、
・第１欄が選択されている場合には、メール送信部の働きにより電子メールが自動送信される。
・第２欄が選択されている場合には、アップロード部の働きにより個別画像４ｂがクラウドサービス１のサーバにインターネットを介してアップされる。また、その個別画像４ｂには、予め設定しておいたタグに対応したメタ情報が付加される。
・第３欄が選択されている場合には、アルバム保存部の働きにより情報処理端末１内のアルバム用のメモリに個別画像４ｂが保存される。
【００４５】
以上説明したように、本実施形態の情報処理端末１は、支持面２１上に配置された複数の取込対象物３を単一の全体画像４ａとして取り込む撮像部１１と、この撮像部１１が取り込んだ全体画像４ａから各取込対象物３に対応する画像をそれぞれ切り出して複数の個別画像４ｂにする個別画像生成部１２と、この個別画像生成部１２により生成された各個別画像４ｂに対して予め定めておいた処理を実行する情報処理部１３とを具備してなるものであって、前記全体画像４ａが、相互に色の異なる前記支持面２１と複数の取込対象物３とを撮影したものであり、前記個別画像生成部１２が、前記全体画像４ａを二値化して、取込対象物３が置かれている領域と取込対象物３が置かれていない領域とを明確にするものである。このようなものであるため、データ化して一様に処理したい名刺３について撮影後に自動的に所望の事後の処理を行うことができる。その上、情報処理端末１（の情報処理部１３）において、撮影して得た画像から、取込対象物３の輪郭１２４である四辺を検出して、その検出した各縁辺の画像のｘ軸及びｙ軸に対する傾きを基に、被写体である支持体２及び取込対象物３の画像の中での傾き及び歪みを補正できる。このときの情報処理端末１は、全体画像４ａや個別中間画像４ｄ上で検出された取込対象物３の各縁辺が画像のｘ軸やｙ軸に対して傾かず、かつ各縁辺が取込対象物３の寸法に対応した所定の縦横比の長方形状を描くように、画像をアフィン変換または射影変換する演算処理を行う。
【００４６】
さらに、本実施形態の前記情報処理部１３は、予め定められた情報により指定された情報処理端末１内のフォルダに各取込対象物３の個別画像４ｂを保存、予め定められた情報により指定されたメタ情報を前記個別画像４ｂに付加、予め定められた情報により指定された宛先アドレスに向けて前記個別画像４ｂを電子メールとして送信、予め定められた情報により指定されたサーバに向けて前記個別画像４ｂをアップロード、のうち少なくとも一の処理を実行するものであるため、取込対象物３を撮影して得た個別画像４ｂをユーザの任意に応じて分別して保存したり、送信の形態や送信先を制御したりすることが可能であり、高い利便性を提供できる。
【００４７】
また、本実施形態のデータ化キット１０は、取込対象物３を撮影して取り込む前記情報処理端末１と、その撮影時に取込対象物３を支持する支持体２とを要素とするものであって、前記支持体２が、黒色の支持面２１を備えた矩形状のものであるので、この支持体２及び支持体２上に配置された取込対象物３を撮影した情報処理端末１（の情報処理部１３）において、撮影して得た全体画像４ａの各画素の画素値（色）から、取込対象物３の縁辺すなわち輪郭１２４を比較的精確に検出可能であり、その輪郭１２４に沿って取込対象物３の写っている部分のみを全体画像４ａから切り出すことができる。すなわち、支持体２を、取込対象物である名刺３等の紙色とは明確に異なる濃色（特に、黒色等）のものとしているため、配置領域１２１と外部領域１２２との厳密な境界を明確に表示するための目印が必要なく、支持体２上に名刺３を比較的自由に配置することができる。
【００４８】
また、本実施形態の情報処理端末１は、情報処理端末１の姿勢に応じて画面表示が９０°切り替わる機能をロック可能なものである。しかして、撮影時に情報処理端末１や撮影者の影が名刺３の表面に映り込んでしまうのを避けるために、情報処理端末１を斜めに傾けた状態で撮影しても、情報処理端末１の画面の縦向き／横向きが不用意に切り替わってしまう不具合を解消できる。
【００４９】
なお、本発明は以上に述べた実施形態に限られない。
【００５０】
本発明の情報処理端末は、情報処理部が、前記個別画像生成部により生成された個別画像に対して取込対象物に添付した表示に基づいた処理を実行するものであってもよい。このようなものであれば、一度に撮影した各名刺の個別画像に対して個別の処理を行うことも可能となる。
【００５１】
一例として、図１４に示すように、取込対象物３の表面に予めマーク欄３１を貼っておき、マーク欄３１の所定箇所を塗りつぶして実行するアクションを設定するものが挙げられる。マーク欄３１は、例えば「アクションマーカー」と呼称される、二進法表記で値を記入するものであり、ユーザが名刺等の取込対象物３にマーク欄３１を添付するとともに、「アクションマーカー」の欄に値をマークする。「アクションマーカー」の値は、取込対象物３を撮像して得られる各名刺３に対応する個別画像を、情報処理端末においてどのように処理するべきかを指し示すものである。
【００５２】
ユーザは、情報処理端末上でアプリケーションソフトウェアを起動し、「アクションマーカー」の値が記入された取込対象物３をカメラモジュールを介して撮影する。さすれば、情報処理端末が、個別画像の中に含まれる「アクションマーカー」の値を読み取り、その値に対応した処理を遂行する。
【００５３】
マーク欄３１に記入された値と、名刺３の撮影画像について実行するべき処理の内容との関係は、設定情報（テーブル）として、またはプログラム若しくはスクリプト中に記述された命令として、予め情報処理端末のメインメモリまたは補助記憶デバイスに格納されている。図１５に、各マーク欄３１の値と処理内容との関係を例示するとともに、図１６に、各マーク欄３１の値と処理内容との関係を設定するための設定内容表示欄５９ａを備えたアクションマーカー設定画面５９の一例を示す。本変形例では、処理の内容として、名刺３の個別画像に付加するメタ情報の指定、名刺３の個別画像の電子メールによる送信の宛先アドレスの指定、名刺３の個別画像のアップロード先のサーバ（図示せず）の指定、を想定している。図１５に示した例に則して述べると、
・マーク欄３１の値が１であれば、名刺３の個別画像に「仕事用」というメタ情報（個別画像を分類するタグ）を付した上で情報処理端末１内（の補助記憶デバイス１ｃ）に保存する
・マーク欄３１の値が２であれば、名刺３の個別画像に「プライベート」というメタ情報を付した上で情報処理端末内に保存するとともに、同個別画像を宛先アドレス「ｈｏｇｅｈｏｇｅ＠ｍａｉｌ．ｘｘｘ」に向けて電子メールの形で送信する
・マーク欄３１の値が３であれば、名刺３の個別画像に「事務手続き」というメタ情報を付した上で情報処理端末内に保存するとともに、同個別画像を宛先アドレス「ｕｓｅｒ＠ｍａｉｌ．ｙｙｙ」に向けて電子メールの形で送信する。並びに、ＵＲＩ「ｗｗｗ．ｘｘｘｘ．ｃｏｍ／ｙｙ＿ｕｓｅｒ／」で指定される外部のサーバ（いわゆるクラウドサービスであることがある）に向けて、ＨｙｐｅｒＴｅｘｔ  Ｔｒａｎｓｆｅｒ  Ｐｒｏｔｏｃｏｌ等の所定の通信プロトコルに則り、同個別画像をアップロード送信する
・マーク欄３１の値が４であれば、名刺３の個別画像に「取引先１」というメタ情報を付した上で情報処理端末１内に保存するとともに、ＵＲＩ「ｗｗｗ．ｚｚｚｚ．ｊｐ／ｙｙ＿ｕｓｅｒ／」で指定される外部のサーバに向けて、所定の通信プロトコルに則り、同個別画像をアップロード送信する
というような態様である。
【００５４】
なお、名刺に添付されたマーク欄を読み取って行う処理と、上述した実施形態で示したような予め設定画面で撮影後の処理を定めておいて行う処理とは、同時に行ってもよい。このようなものであれば、例えば、名刺の個別画像を情報処理端末の補助記憶デバイス等に保存する際に、各名刺に添付されたマーク欄に基づくメタ情報等に応じて、保存先のディレクトリまたはフォルダを決定して、複数の名刺の全体画像を情報処理端末内でメタ情報等毎に分別することが可能となる。しかして、データ化して処理したい名刺等が多数枚あったとしても、それらについて撮影後に自動的に所望の事後の処理を行え、従来のように取り込み後の撮影画像に対して行う作業の煩わしさを軽減することができる。
【００５５】
上記変形例では、取込対象物３の個別画像について実行するべき処理の内容を規定する情報を表現するものとして、名刺３等に添付されるマーク欄３１等を設けていたが、このマーク欄３１に代えて、図１７に示すような手書きの模様・文字等の記入欄３２、換言すれば、情報処理端末においてＯＣＲ（Ｏｐｔｉｃａｌ  Ｃｈａｒａｃｔｅｒ  Ｒｅｃｏｇｎｉｔｉｏｎ）読み取り可能な数字その他の文字列等の記入欄３２、または、手書きのチェックマーク記入欄３３等を読み取ってアクションを実行するものであってもよい。これらの場合も、上述したマーク欄３１に準じた態様で設定及びアクション実行を行うようにすればよい。また、これ以外に、バーコードや二次元コード（ＱＲコード（登録商標）等）、模様やドットパターン、色彩等を、実行するべき処理の内容を規定する情報を表現するものとして、名刺等に添付してもよい。例えば、添付物の色が異なると、情報処理端末において実行される処理が異なる、というようなことである。
【００５６】
取込対象物は、名刺に限定されないことは言うまでもない。手書きで書き込みをしたメモ用紙、領収書、ノートの中紙、ルーズリーフ、持ち運び可能な大きさのハンディタイプのホワイトボード等や、葉書、手紙、覚書等の類が取込対象物となることは当然に考えられる。ゲームや遊技等に用いられるカード類や、宝くじ、勝馬投票券等のような取込対象物もあり得よう。
【００５７】
取込対象物の寸法も、名刺やメモ用紙の大きさから、Ａ４、Ａ３（ともに、ＩＳＯ  ２１６による紙の規格寸法）の用紙等まで多岐に亘る。故に、支持体の寸法も、上記実施形態のようなものには限られない。
【００５８】
支持体２は、上述したような画像取込専用の用紙に限られず、例えば、図１８に示すような表表紙２５及び裏表紙２６との間に複数のポケット２７を備えたいわゆるポケット式のファイル２８であってもよい。詳述すれば、これらのポケット２７は、支持面２１として機能する黒色のプラスチック製シート２９と、このプラスチック製シート２９の表面側に重なる透明なプラスチック製シート２０とを主体に構成されたもので、各ポケット２７は図示しない名刺を入れることが可能な大きさに設定されている。このような支持体２に取込対象物を配置した状態で撮影すれば、上述した実施形態に準じた効果が得られる。なお、透明なプラスチック製シートは、撮影時の光等の映り込みができるだけ少なくなるような素材で構成されていることが好ましい。また、ファイルは、例えば、特開２０１１−１０４９８４号公報または特開２０１３−１９３４４３号公報に示されているようなファイルに準じたものを採用することが好ましく、このようなものであれば、非使用時に薄型化を図ることができ、かつ、各ポケット内に名刺や書類等を収容した状態において表紙の一部が膨らんでしまうという不具合の発生を抑制できる。なお、支持体として用いられるファイルは、これに限られず種々変更可能であるのはもちろんである。
【００５９】
支持体の素材は、紙（厚紙、ボール紙等）には限定されず、ポリプロピレンその他の樹脂（または、プラスチック）製のシートや薄板等として構成されてもよいし、木製でも布製でもよい。支持体の具体的な他の態様としては、例えば机の上面やパーソナルコンピュータの表面等が考えられる。
【００６０】
さらに、支持面と取込対象物の色は、相互に異なるものであればどのようなものであってもよく、上述したように「支持面が黒色、かつ、取込対象物が白色」の場合の他、「支持面が白色、かつ、取込対象物が黒色」の場合や、白黒以外の色であってもよい。すなわち、支持面と取込対象物のうち一方の色が、支持体及び取込対象物を撮影して二値化処理した際に「白色」と認識される程度の色であり、支持面と取込対象物のうち他方の色が、支持体及び取込対象物を撮影して二値化処理した際に「黒色」と認識される程度の色であれば、種々変更可能である。
【００６１】
情報処理端末は、スマートフォンやパーソナルコンピュータ、スキャナ等のような汎用的な機器ではなく、専用機であっても構わない。
【００６２】
個別画像生成部は、撮像部が取り込んだ全体画像から取込対象物に対応する画像を切り出して個別画像にするようにしたものであればどのようなものであってもよく、上述したような透視変換処理を行わないものも含まれる。また、支持体の輪郭、すなわち、外部領域と輪郭外領域との境界を認識することなく処理を行うものであってもよい。さらに、上述したように支持体の全体が含まれた状態で撮影し、全体画像に含まれる支持体の縁が外枠となって当該外枠を基準に透視変換処理等を行う場合のみならず、支持体に近づいた状態（支持体の全体が含まれていない状態）で撮影し、取込対象物の縁が外枠となって当該外枠を基準に透視変換処理等を行うものであってもよい。
【００６３】
また、情報処理端末が実行するべき処理についても、種々の変形例が考えられる。例えば；
＜取込対象物の撮影画像への処理として＞
撮影画像のファイル形式（ＢＭＰ、ＪＰＥＧ、ＧＩＦ、ＰＤＦ、ＰＩＸ、等々）の選択または変更、解像度の選択または変更、色数の変更（白黒（モノクロ）の二値化、グレースケール化等）、色調の変更、シャープ化その他のフィルタによる画像処理、タイムスタンプ（情報処理端末の計時機能から取得できる）または印影のようなシンボル画像（シンボル画像は予め、情報処理端末のメインメモリまたは補助記憶デバイスに保持している）を撮影画像に付加または重畳した上で当該撮影画像を保存。マーク欄等が保存または送信される撮影画像のファイル形式、解像度、色数、色調の変更やフィルタ処理の内容等を指定する識別子を含んでおり、情報処理端末において当該識別子に対応したファイル形式、解像度、色数の画像を生成し、必要な場合には色調補正やフィルタ処理その他の処理を当該画像に施す。支持体を使用して撮影された複数の取込対象物に係る複数枚の撮影画像を、つなぎ合わせて一枚の画像ファイルにしたり、複数のページ（各撮影画像が各ページとなる）を包有する一つのＰＤＦまたは文書ファイルの形にまとめたりする、ということも考えられる
＜取込対象物そのものに関連する処理として＞
取込対象物の表面に表された文字列の一部または全部のテキストデータのＯＣＲ読み取りによる抽出、取込対象物の表面に表された特徴的な画像やパターン（会社名のロゴマーク等）の抽出、さらには、抽出したテキストデータ、画像またはパターンに基づいた取込対象物の撮影画像の分類（メタ情報の付与、保存先ディレクトリの選定、送信先の指定等）処理
＜取込対象物の撮影画像に付加するメタ情報の内容として＞
撮影者や撮影場所その他撮影条件を示す情報の指定。マーク欄等が撮影者や撮影場所等を識別する識別子を含んでおり、情報処理端末において当該識別子に対応したメタ情報を撮影画像に付加する
＜取込対象物の撮影画像の出力処理として＞
印刷、特定の記録媒体への書き込み、撮影画像のデータファイルを他のアプリケーションソフトウェア（例えば、画像レタッチソフトや文書管理ソフト、ＰＤＦ編集ソフト等。ウェブアプリケーションやＳａａＳ（Ｓｏｆｔｗａｒｅ  ａｓ  ａ  Ｓｅｒｖｉｃｅ）であることがある）にオープンさせる等。マーク欄等が撮影画像を出力するハードウェアまたは撮影画像をオープンするアプリケーションを指定する識別子を含んでおり、情報処理端末において当該識別子に対応したハードウェアを介して撮影画像を出力させるか、当該識別子に対応したアプリケーションを起動して撮影画像をオープンさせる
等を挙げることができる。
【００６４】
その他、本発明の趣旨を損ねない範囲で種々に変更してよい。
【符号の説明】
【００６５】
１…情報処理端末
１１…撮像部
１２…個別画像生成部
１３…情報処理部
２…支持体
２１…支持面
３…取込対象物
４ａ…全体画像
４ｂ…個別画像
１０…データ化キット
【図１】
2015142283.tif 000003
【図２】
2015142283.tif 000004
【図３】
2015142283.tif 000005
【図４】
2015142283.tif 000006
【図５】
2015142283.tif 000007
【図６】
2015142283.tif 000008
【図７】
2015142283.tif 000009
【図８】
2015142283.tif 000010
【図９】
2015142283.tif 000011
【図１０】
2015142283.tif 000012
【図１１】
2015142283.tif 000013
【図１２】
2015142283.tif 000014
【図１３】
2015142283.tif 000015
【図１４】
2015142283.tif 000016
【図１５】
2015142283.tif 000017
【図１６】
2015142283.tif 000018
【図１７】
2015142283.tif 000019
【図１８】
2015142283.tif 000020